(57)【要約】【課題】制御素子が不正取り替え、不正改造される事態を効果的に防止することが可能な遊技機用制御装置を提供する。【解決手段】制御装置１は、外カバー６の各上固着翼２６，２６に切断容易に設けられた各ネジ保持部９，９・・の内の左右の一つずつを、ワンウェイタイプのネジ１３によって、内カバー５の下固着翼２７，２７のネジ係合部４０，４０に螺着することによって、外カバー６と内カバー５とが合着した状態になっている。また、ネジ係合部４０、４０と螺着したネジ保持部９，９・・の外側に、それぞれキャップ部材３（蓋本体１７）が固着されている。【選択図】図１
2009178303.tif 000002
【特許請求の範囲】
【請求項１】
切断可能な複数のネジ保持部を端縁に設けた外カバーと、その外カバーと合致する内カバーとによって、制御素子を設置した基板が覆われているとともに、ネジ保持部の内の少なくとも１つが、ワンウェイタイプのネジによって内カバーに螺着された遊技機用制御装置であって、
前記各ネジ保持部内のネジを覆うようにネジ保持部の外側に固着させるためのキャップ部材を有することを特徴とする遊技機用制御装置。
【請求項２】
前記キャップ部材が、各ネジ保持部内のネジを覆うための複数の蓋本体と、それらのキャップ本体を切断可能に連結するための連結体とを有していることを特徴とする請求項１に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた外カバーと、その外カバーと合致する内カバーとによって、制御素子を設置した基板を覆うとともに、左右のネジ保持部の内の一つずつを、かしめネジ（基端部の外面に対して垂直な面と基端部の外面に対して緩やかに傾斜した面とを有するネジ突起を基端部に設けたもの）を用いて、ドライバ等では外れないように内カバーに螺着することにより、ネジ保持部を切断しなければ外カバーを取り外すことができないようにして、外カバーの取り外しの痕跡が残るように構成したものがある。
【０００３】
【特許文献１】特開平１１−０００４４４号公報
【発明の開示】
【発明が解決しようとする課題】
【０００４】
しかしながら、上記した切断可能なネジ保持部を設けた遊技機用制御装置は、かしめネジのヘッドに電気ドリル等で孔をあけられると、それらの孔を利用してネジを回転させることが可能となってしまうため、ネジ保持部を切断することなく外カバーを取り外すことができてしまう。このため、近年では、制御素子の不正取り替え、不正改造を効果的に防止することができなくなっていた。
【０００５】
本発明の目的は、上記従来の遊技機用制御装置の問題点を解消し、制御素子の不正取り替え、不正改造を効果的に防止することが可能な遊技機用制御装置を提供することにある。
【課題を解決するための手段】
【０００６】
本発明の内、請求項１に記載された発明は、切断可能な複数のネジ保持部を端縁に設けた外カバーと、その外カバーと合致する内カバーとによって、制御素子を設置した基板が覆われているとともに、ネジ保持部の内の少なくとも１つが、ワンウェイタイプのネジによって内カバーに螺着された遊技機用制御装置であって、前記各ネジ保持部内のネジを覆うようにネジ保持部の外側に固着させるためのキャップ部材を有することを特徴とするものである。なお、キャップ部材をネジ保持部の外側に固着させる方法としては、接着剤による接着の他、キャップ部材および／またはネジ保持部を加熱することによる溶着等の各種の固着方法を利用することができる。
【０００７】
請求項２に記載された発明は、請求項１に記載された発明において、前記キャップ部材が、各ネジ保持部内のネジを覆うための複数のキャップ本体と、それらのキャップ本体を切断可能に連結するための連結体とを有していることを特徴とするものである。
【発明の効果】
【０００８】
請求項１に記載された制御装置は、ネジ保持部に固着されたキャップ部材を取り外さなければ、ネジ保持部内のネジを露出させることができず、電気ドリル等を利用して無理矢理にネジを回転させることができないので、取付片を切断することなく外カバーが不正に取り外される事態を効果的に防止することができる。したがって、請求項１に記載された発明の制御装置によれば、制御素子の不正取り替え、不正改造を効果的に防止することができる。それにも拘わらず、必要に応じて、ネジ保持部の取付片を切断して外カバーを取り外し、基板上に設置された制御素子の内容をチェックすることができる。
【０００９】
請求項２に記載された制御装置は、キャップ部材が複数の蓋本体を連結体で連結したものであるため、未使用のネジ保持部をネジで螺着する場合に、新たな別の蓋部材を捜す必要がないので、使い勝手が良い。
【発明を実施するための最良の形態】
【００１０】
以下、本発明の遊技機用制御装置（以下、単に制御装置という）について、図面に基づいて詳細に説明する。図１は、制御装置の正面図であり、図２は、制御装置の左側面図である。制御装置１は、ＲＯＭ８やＣＰＵ等の種々の制御素子を搭載した基板４、透明な合成樹脂（ポリカーボネート）製の外カバー６および内カバー５部材等によって構成されている。また、外カバー６の左右両サイドには、それぞれ、キャップ部材３，３が取り付けられている。
【００１１】
図３〜５は、被覆部材３ａ，３ｂを取り外した状態の制御装置１を示したものである。外カバー６は、幅広な箱形に形成された本体１４の左右両サイドに、それぞれ、４個のネジ保持部９，９・・が、上下および中央に位置した切断可能な取付片１０，１０・・によって一体的に連設されている。各ネジ保持部９，９・・は、矩形状の支持板１１の前側に略円筒状の保持体１２を設けたものであり、保持体１２の略中央には、ネジ挿通孔２が穿設されている。そして、左上および右上の各ネジ保持部９，９においては、ワンウェイタイプのネジ１３が、ネジ挿通孔２に挿通されている。
【００１２】
ワンウェイタイプのネジ１３は、ヘッドにネジ突起が突設されており、軸部の先端際にネジ溝が設けられている。また、ネジ突起は、ヘッドの外面に対して垂直な面と、ヘッドの外面に対して緩やかに傾斜した面とを有している。このため、ネジ突起の垂直面にマイナスのドライバを押し当てて右向きに回転させた場合には、ドライバとネジ突起の垂直面とが係合して回転するが、ドライバを左向きに回転させた場合には、ヘッド上でドライバとネジ突起とが係合せず回転しない。
【００１３】
一方、内カバー５は、外カバー６と同一幅で前面を開口した箱状に形成されており、外カバー６の各ネジ保持部９，９・・と対応する位置には、略四角柱状のネジ係合部４０，４０・・が一体的に突設されている。そして、それらのネジ係合部４０，４０・・の中央には、それぞれ、ネジ孔１５が穿設されている。
【００１４】
また、各キャップ部材３，３は、薄い青色に着色した合成樹脂（ポリカーボネート）によって、４個の蓋本体１７，１７・・を直線状に連結した形状に一体成形されている。蓋本体１７は、扁平な円板状に形成された蓋板１８の裏側に、扁平な円筒状の嵌合筒１９を突設したものであり、蓋板１８の外径は、ネジ保持部９の保持体１２の外径と略同一となっており、嵌合筒１９の外径は、ネジ保持部９の保持体１２の内径と略同一となっている。そして、それらの蓋本体１７，１７・・が、扁平な四角柱状で切断可能な帯状の連結体２０，２０・・によって連結された状態になっている。
【００１５】
制御装置１は、基板４ａ，４ｂを内カバー５の内面に螺着した状態で、外カバー６と内カバー５とを重ね合わせた状態で、ワンウェイタイプのネジ１３，１３によって、左側の最上方のネジ保持部９（「１」を付したネジ保持部９）を左側の最上方のネジ係合部４０に螺着し、右側の最上方のネジ保持部９（「１」を付したネジ保持部９）を右側の最上方のネジ係合部４０に螺着することによって、組み立てられている。そして、ＲＯＭ８やＣＰＵ等の種々の制御素子を搭載した基板４が、外カバー６および内カバー５によって覆われた状態になっている。
【００１６】
さらに、ワンウェイタイプのネジ１３，１３によって、内カバー５のネジ係合部４０と螺着したネジ保持部９，９（左右の最上方のネジ保持部９，９）の保持体１２にキャップ部材３，３の端側の蓋本体４，４の嵌合筒１９が接着（接着剤による接着）された状態になっている。なお、ネジ保持部９，９と接着していないキャップ部材３，３の蓋本体１７，１７・・は、その他のネジ保持部９，９・・の保持体１２，１２・・内に接着することなく嵌め込まれた状態になっている。
【００１７】
上記の如く構成された制御装置１は、パチンコ機の裏面側の機構板等に設置された状態で使用される。そして、搭載されたＲＯＭ８やＣＰＵ等の種々の制御素子によって、パチンコ機の作動内容を制御する。
【００１８】
また、制御装置１は、外カバー６のネジ保持部９，９と内カバー５のネジ係合部４０，４０とが、ワンウェイタイプのネジ１３，１３によって螺着されており、それらのネジ保持部９，９の外側に、それぞれキャップ部材３（蓋本体１７）が固着されているため、ネジ１３を螺着時と反対方向（左回り）に回転させることができないため、ネジ保持部９とネジ係合部４０との螺着状態が解除されない。それゆえ、外カバー６を取り外す場合には、ネジ係合部４０，４０と螺着したネジ保持部９，９の前方に設けられた取付片１０，１０・・を、ニッパ等の工具で切断し、かかるネジ保持部９，９を外カバー６から切り離すことによって、外カバー６と内カバー５とを分離しなければならない。
【００１９】
また、再度 外カバー６を内カバー５に合着させる場合には、左上および右下のネジ保持部９，９以外のネジ保持部９，９（すなわち、未だネジ係合部４０と螺着していない同じ番号を付したネジ保持部９，９同士）を、それぞれ、ネジ１３，１３により同位置のネジ係合部４０，４０と螺着し、それらのネジ保持部９，９の外側にキャップ部材３，３を固着すれば良い。それゆえ、一旦、外カバー６と内カバー５とを分離した後でも、再度、外カバー６を内カバー５に合着させることができ、そのような外カバー６、内カバー５の分離、合着を４回繰り返すことができる。
【００２０】
制御装置１は、上記の如く、外カバー６を内カバー５と分離するためには、取付片１０，１０・・を切断することによりネジ係合部４０，４０と螺着されたネジ保持部９，９を外カバー６から切り離さなければならないため、外カバー６が取り外された場合には、必ずその痕跡が残る。それゆえ、外カバー６の開閉の有無を容易に把握することができる。それにも拘わらず、各ネジ保持部９，９・・の各取付片１０，１０・・およびキャップ部材３，３の連結体２０が容易に切断可能な構造を有しているため、それらの取付片１０，１０・・および連結体２０，２０をニッパ等の工具で切断することによって、外カバー６を容易に取り外して、基板４上に設置された制御素子８の内容をチェックすることができる。
【００２１】
その上、制御装置１は、ネジ保持部９，９・・の外側（前側）にキャップ部材３（蓋本体１７）が固着されており、当該キャップ部材３（蓋本体１７）を引き剥がさなければ、各ネジ保持部９，９・・内のネジ１３を露出させることができず、電気ドリル等を利用して無理矢理にネジを回転させることができないので、取付片１０，１０・・を切断することなく外カバー６が不正に取り外される事態を効果的に防止することができる。したがって、制御装置１によれば、制御素子８の不正取り替え、不正改造を効果的に防止することができる。
【００２２】
さらに、制御装置１は、キャップ部材３，３が複数の蓋本体１７，１７・・を連結体２０，２０・・で連結したものであるため、未使用のネジ保持部９，９・・をネジ１３で螺着する場合に、新たな別の蓋部材を捜す必要がないので、使い勝手が良い。
【００２３】
なお、本発明の制御装置は、上記実施形態の態様に何ら限定されるものではなく、基板、外カバー、内カバー、ワンウェイタイプのネジ、キャップ部材等の形状、構造等の構成を本発明の趣旨を逸脱しない範囲内で適宜変更することができる。
【００２４】
たとえば、外カバーに設けるネジ保持部の個数は、４個に限定されず、３個以下あるいは５個以上でも良い。また、外カバーの本体とネジ保持部とを連結する取付片の個数も、３個に限定されず、２個以下でも良いし、４個以上でも良い。なお、そのようにネジ保持部の個数を変更する場合には、キャップ部材の蓋本体の個数も併せて変更するのが好ましい。さらに、ネジ保持部の設置位置は、外カバーの左右両端縁に限定されず、外カバーの上下両端縁でも良い。
【００２５】
また、蓋本体の嵌合筒を接着する際には、接着剤の種類は何ら限定されない。加えて、溶剤を用いたり、加熱したり超音波を加えたりすることによって蓋本体と嵌合筒とを溶着することも可能である。
【００２６】
さらに、キャップ部材は、ネジ保持体と対応した記号、文字、数字や図柄等を蓋本体に表記したものに変更することも可能である。たとえば、端に位置した最初に使用する蓋本体に数字の１を表記するとともに、その蓋本体と対応したネジ保持体に同様に表記することも可能である。そのように構成することによって、使用者（ホール管理者等）が誤った位置の蓋本体を切り離す事態が起こりにくくなる、というメリットがある。
【００２７】
また、上記の如く、キャップ部材の蓋本体の表面に記号、文字、数字や図柄等を表記する場合には、蓋本体に施す表記と同様な表記を、当該蓋本体に対応したネジ（ワンウェイタイプのかしめネジ）に施すことも可能である。そのような構成を採用することにより、蓋本体と当該蓋本体に対応したネジとを確認しながら蓋本体を切断することが可能となり、下カバーに螺着されていないネジ保持部の外側に位置した蓋本体を誤って切断する事態を効果的に防止することが可能となる。
【００２８】
さらに、上記の如く、キャップ部材の蓋本体の表面に記号、文字、数字や図柄等を表記する場合には、蓋本体に施す表記と同様な表記を、当該蓋本体に対応したネジ保持部（支持板、保持体）や取付片に施すことも可能である。そのような構成を採用することにより、蓋本体と当該蓋本体に対応したネジ保持部や取付片とを確認しながら蓋本体を切断することが可能となり、下カバーに螺着されていないネジ保持部の外側に位置した蓋本体を誤って切断する事態を効果的に防止することが可能となる。
【００２９】
加えて、制御装置の上下カバーは、上記実施形態の如く、ポリカーボネートのみによって形成されたものに限定されず、ポリカーボネート以外の合成樹脂によって形成したものや、ポリカーボネートとその他の合成樹脂とからなる混合樹脂、あるいはポリカーボネート以外の２種以上の混合樹脂によって形成したもの等に変更することも可能である。
【００３０】
加えて、ネジ保持部を螺着するために用いるワンウェイタイプのネジは、上記実施形態の如く、先端が平坦なネジに限定されず、先端の尖った木ネジ等の他の形状を有するものでも良い。加えて、ヘッドに２個のネジ突起が設けられたものに限定されず、４個のネジ突起が設けられたプラスタイプのドライバで回転可能なもの等でも良い。
【００３１】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００３２】
【図１】遊技機用制御装置の正面図である。
【図２】遊技機用制御装置の左側面図である。
【図３】遊技機用制御装置の斜視図である。
【符号の説明】
【００３３】
１・・制御装置
３・・キャップ部材
４・・基板
５・・内カバー
６・・外カバー
８・・制御素子  
９・・ネジ保持部
１０・・取付片
１３・・ネジ
１７・・蓋本体
２０・・連結体
【図１】
2009178303.tif 000003
【図２】
2009178303.tif 000004
【図３】
2009178303.tif 000005